(57)【特許請求の範囲】
【請求項１】
張出しフランジを有した電動機ケースを備える電動機部の回転軸にファンを連結し、周部が前記張出しフランジ上に支持され、かつ、前記周部に、複数の風入口とこれら風入口に近づくに従って前記周部の表面から前記張出しフランジに次第に近付けて傾斜された複数の導風壁とを有するディフューザを、前記ファンと前記電動機ケースとの間に配置し、前記ファン及びディフューザを覆うファンカバーを前記張出しフランジに嵌合して取付けた電動送風機において、
前記張出しフランジに複数のフックを切起こし、これらフックと前記張出しフランジとで、前記風入口に向かい合っている前記導風壁を挟み込んでいて、この挟み込み状態で前記フックが弾性変形された状態を維持していることを特徴とする電動送風機。
【請求項２】
前記フックの先端部に前記張出しフランジ側に突出する係合突起を設けるとともに、この突起が入り込んで係合する突起受け部を前記風入口に向かい合っている前記導風壁に設けたことを特徴とする請求項１に記載の電動送風機。
【請求項３】
前記係合突起を前記突起受け部に導くガイド溝を前記風入口に向かい合っている前記導風壁の表面に設けたことを特徴とする請求項２に記載の電動送風機。
【請求項４】
一端に外側に張り出すベース縁部を有した板金製のケース本体と、前記ベース縁部に重ねて連結される縁部を有した板金製のケース端面板とで前記電動機ケースを形成するとともに、前記ベース縁部と前記ケース端面板の縁部とで前記張出しフランジを形成し、前記フックを前記ベース縁部から切起こしたことを特徴とする請求項１〜３の内のいずれか一項に記載の電動送風機。
【請求項５】
送風機室及びこの送風機室の上流側に集塵室を有する掃除機本体と、前記送風機室に収容された請求項１〜４の内のいずれか一項に記載の電動送風機と、前記集塵室に収容されたフィルタと、前記集塵室に連通して設けられる吸込み口体とを具備したことを特徴とする電気掃除機。
【発明の詳細な説明】
【０００１】
【発明の属する技術分野】
本発明は、電気掃除機等に搭載される電動送風機、及びアップライト型、キャニスタ型、ハンディ型等の各種の電気掃除機に関する。
【０００２】
【従来の技術】
電気掃除機に搭載される電動送風機の中には、遠心型のファンと、これを回転させる電動機部との間に合成樹脂製のディフューザを配置したものがある。ディフューザは、その周部に、風入口と、この入口にファンから吐出された風を導く斜状の導風壁とを夫々複数有し、かつ、裏面に風入口に連続するディフューザ通路を形成する整流羽根を設けて形成されている。このディフューザで、ファンから吐出された風の動圧を前記ディフューザ通路により静圧化しつつ電動機部内に導くようになっている。
【０００３】
ディフューザの周部は電動機部が有する張出しフランジで支持され、かつ、このフランジでディフューザ通路に連通している風入口の一辺が仕切られている。そのため、ファンから吐出され導風壁に沿って風入口に導入された風は、勢い良く張出しフランジに当ってディフューザの周部裏面に向けて反射される。したがって、ディフューザの周部がファンカバーで押えられていない構成にあっては、ディフューザの周部が張出しフランジから浮き上げるように変形することがあり、送風上好ましくない。
【０００４】
そのため、従来では、ディフューザの周部を、ねじ止め又は熱溶着或はかしめ止めにより電動機部の張出しフランジに固定して、ディフューザの周部の変形を防止している。ねじ止めは、ディフューザの導風壁に設けた複数の通孔の夫々に挿入される各ねじを、電動機部の張出しフランジにねじ込んで締付けることで行われている。又、熱溶着或はかしめ止めは、ディフューザの導風壁裏面に一体に突設された固定凸部を、これらに対応して電動機部の張出しフランジに開けた通孔に通し、張出しフランジの裏面において、固定凸部の先端部を加熱し溶かして押し広げたり、或は前記先端部を叩いて押し広げるように変形させることで行われている。
【０００５】
しかし、ディフューザの周部を張出しフランジにねじ止めする構成では、固定部品として複数のねじが必要であるので部品点数が増え、かつ、それらの螺挿作業も必要であるために、コスト高である。又、ディフューザの周部を張出しフランジに熱溶着或はかしめ止めする構成では、部品点数の増加はないものの、張出しフランジにディフューザを被せる作業と、熱溶着或はかしめ止めの作業とが張出しフランジの表側と裏側とに分かれて行われ、かつ、張出しフランジの各通孔は小径でありそれらにディフューザの各固定凸部を同時に挿入させずらいので、張出しフランジにディフューザ周部を固定する作業性が良くなく、よって、コスト高である。
【０００６】
【発明が解決しようとする課題】
本発明が解決しようとする課題は、電動機部の張出しフランジにディフューザ周部を簡単な構成で安価に固定できる電動送風機及び電気掃除機を得ることにある。
【０００７】
【課題を解決するための手段】
請求項１に係る発明の電動送風機は、電動機部の張出しフランジ上に配置されたディフューザの周部が、複数の風入口とこれら風入口に近づくに従って前記張出しフランジに次第に近寄るように傾斜された複数の導風壁を有し、かつ、前記ディフューザの周部が電動機部の回転軸に連結されたファンから吐出される風の圧力で張出しフランジから浮き上がるように変形することを防止するために、このディフューザの周部を張出しフランジに固定した電動送風機を前提とする。
【０００８】
そして、前記課題を解決するために、請求項１の発明は、前記張出しフランジに複数のフックを切起こし、これらフックと前記張出しフランジとで、前記風入口に向かい合っている前記導風壁を挟み込んでいて、この挟み込み状態で前記フックが弾性変形された状態を維持していることを特徴としている。
【０００９】
この請求項１の発明は、整流子モータを電動機部に用いた電動送風機、及びブラシレスモータを電動機部に用いた電動送風機のいずれにも適用できる。
【００１０】
請求項１の発明においては、ディフューザの周部の導風壁を、張出しフランジとこれから切起こされた複数のフックとで挟み込むとともに、この挟み込み状態で各フックを弾性変形された状態に維持して、ディフューザの周部を張出しフランジに固定したから、ファンから吐出されて風入口に導入された風の圧力でディフューザ周部が張出しフランジから浮き上がるように変形することを防止できる。そして、前記各フックは電動機部が有する張出しフランジから一体に切起こされているから、格別に固定部品を要することなく、ディフューザ周部の前記変形を防止できる。更に、張出しフランジにディフューザ周部を固定するには、ディフューザ周部の風入口の裏側にフックが位置するようにディフューザ周部を張出しフランジ上に被せた状態から、風入口に向かい合っているディフューザ周部の導風壁が対応するフックの裏側に入り込むようにディフューザを回動させることにより、フックを弾性変形させながらフックと張出しフランジとの間に前記導風壁を圧入気味に入り込ませればよい。それにより、前記導風壁を各フックと張出しフランジとの間に挟み込んで、ディフューザ周部の複数箇所を張出しフランジに同時に固定できる。
【００１１】
請求項２の発明は、請求項１の発明に記載のフックの先端部に前記張出しフランジ側に突出する係合突起を設けるとともに、この突起が入り込んで係合する突起受け部を前記風入口に向かい合っている前記導風壁に設けたことを特徴としている。この発明において突起受け部は凹み又は孔によって形成できる。
【００１２】
この請求項２の発明においては、ディフューザ周部の複数箇所が張出しフランジに固定された状態では、フックの係合突起が導風壁の突起受け部に入り込んで係合するから、フックの導風壁への引っ掛り強度が高められ、ディフューザの張出しフランジへの固定状態をより安定させることができる。
【００１３】
請求項３の発明は、請求項２の発明に記載の係合突起を前記突起受け部に導くガイド溝を前記風入口に向かい合っている前記導風壁の表面に設けたことを特徴としている。
【００１４】
この請求項３の発明においては、風入口に向かい合っているディフューザ周部の導風壁が対応するフックの裏側に入り込むようにディフューザを回動させる際に、ガイド溝でフックの係合突起を突起受け部に円滑に導くことができる。そのため、前記回動操作が容易で、かつ、フックの係合突起を突起受け部に確実に引っ掛けることができる。
【００１５】
請求項４の発明は、請求項１〜３の内のいずれか一項において、一端に外側に張り出すベース縁部を有した板金製のケース本体と、前記ベース縁部に重ねて連結される縁部を有した板金製のケース端面板とで前記電動機ケースを形成するとともに、前記ベース縁部と前記ケース端面板の縁部とで前記張出しフランジを形成し、前記フックを前記ベース縁部から切起こしたことを特徴としている。
【００１６】
この請求項４の発明において、電動機ケースの主部を占めている板金製ケース本体は、その材厚が厚く強度が大きく確保されているとともに、このケース本体のベース縁部は深絞りされることがなく強度が大である。そして、このベース縁部からフックを切起こしたので、各フックの強度も当然に大きい。したがって、これらフックと張出しフランジとの間にディフューザ周部の複数箇所を強固に挟み込むことができる。
【００１７】
請求項５に係る発明の電気掃除機は、送風機室及びこの送風機室の上流側に集塵室を有する掃除機本体と、前記送風機室に収容された請求項１〜４の内のいずれか一項に記載の電動送風機と、前記集塵室に収容されたフィルタと、前記集塵室に連通して設けられる吸込み口体とを具備したことを特徴としている。この発明は、空気循環式又は空気非循環式の電気掃除機のいずれにも適用できる。
【００１８】
この請求項５の発明においては、電動機部の張出しフランジへのディフューザ周部を簡単な構成で安価に固定できる請求項１〜４の内のいずれか一項に記載の電動送風機を備えるから、安価な電気掃除機を提供できる。
【００１９】
【発明の実施の形態】
以下、図１〜図６を参照して本発明の第１実施形態を説明する。
【００２０】
図１はキャニスタ型の空気非循環式電気掃除機全体を示す斜視図であり、この電気掃除機１は、床面上を自在に移動できる掃除機本体２、電動送風機３、フィルタとしての集塵袋４、吸塵ホース５、延長管６、及び吸込み口体７などを備えている。
【００２１】
掃除機本体２の内部には図示しないが送風機室及びこの送風機室の上流側に位置された集塵室が夫々設けられている。集塵室の開口は掃除機本体２の一部をなす開閉可能な蓋２ａによって気密に閉じられており、又、集塵室には蓋２ａを開けた状態で出し入れ可能な集塵袋４が収容されている。前記送風機室には後で詳しく説明する電動送風機３が収容されている。吸塵ホース５及び延長管６は集塵室と吸込み口体７とを連通して設けられる吸込み管体をなしている。可撓性ホースからなる吸塵ホース５の一端部は掃除機本体２に着脱可能に接続され、このホース５の他端部は手元操作スイッチ付きのハンドル５ａを有している。ハンドル５ａには硬質な延長管６の一端部が着脱可能に接続され、この延長管６の他端部には吸込み口体７が着脱可能に接続されている。
【００２２】
この電気掃除機１の電動送風機３を駆動させることにより、電動送風機３の送風力で、吸込み口体７から被掃除面上の塵を吸込んで延長管６及び吸塵ホース５を介して掃除機本体２の集塵室に導き、この室内の集塵袋４で前記塵を捕捉できる。集塵袋４を通過した空気は、電動送風機３に吸込まれてこの送風機３を通り抜けた後、掃除機本体２にその送風機室と連通して設けた排気口を通して掃除機本体２の外部に排出される。以上により被掃除面を掃除できる。
【００２３】
次に、図２〜図６を参照して電動送風機３について説明する。図２に示すように電動送風機３は、電動機ケース１０、固定子１１、回転子１２、一対のブラシ装置１３、ファン１４、ディフューザ１５、及びファンカバー１６等を備えている。
【００２４】
図２、図３、及び図５に示すように電動機ケース１０は、板金を深絞りして得たケース本体２１と板金製のケース端面板３１とを連結して形成されている。ケース本体２１は、底２２付きの円筒部２３の前記底２２と反対側の端を開口し、この開口の縁は外側に張出すベース縁部２４をなしている。底２２の中央部には小径な円筒形状をなす軸受支え部２５が形成され、又、円筒部２３には複数の排気口２６が開けられている。軸受支え部２５には軸受２７が収容されている。ベース縁部２４は、環状平面部２４ａと、この平面部２４ａから前記底２２側に向けて円筒部２３と略平行に折り曲げられた嵌合筒部２４ｂと、この筒部２４ｂの先端から環状平面部２４ａと略平行に折り曲げられたストッパ部２４ｃとで形成されている。
【００２５】
ケース端面板３１はケース本体２１の開口を径方向に横切って設けられている。ベース縁部２４に重ねてねじ止めされたケース端面板３１の両端の縁部３１ａと前記ベース縁部２４とは、電動機ケース１０の張出しフランジをなしている。前記軸受支え部２５に対応してケース端面板３１の長手方向中央部には、電動機ケース１０の外に向けて突出する軸受支え部３２が形成され、この内部には軸受３３が収容されている。
【００２６】
固定子１１は固定子鉄心とこの鉄心に巻付けられた固定子巻線とを備えてなる。固定子鉄心の四隅を円筒部２３の内面に圧接させて、固定子１１が電動機ケース１０に収容されており、円筒部２３の内面とこれに対向する固定子鉄心の外面との間に風路３４が形成されている。
【００２７】
回転子１２は整流子３７付きのものである。回転子１２は、その回転軸１２ａの両端部を前記両軸受２７、３３に支持させることによって、固定子１１の内側に位置して電動機ケース１０に回転自在に取付けられている。一対のブラシ装置１３はケース本体２１の円筒部２３を貫通して取付けられており、これらの装置１３が有するカーボンブラシ１３ａの先端は整流子３７に押付けられている。前記電動機ケース１０、固定子１１、回転子１２、及び一対のブラシ装置１３によって、整流子モータからなる電動機部が形成されている。
【００２８】
又、前記ファン１４、ディフューザ１５、及びファンカバー１６によってファン部が形成されている。詳しくは、前記回転軸１２ａは軸受３３及びこれを収容している軸受支え部３２を貫通しており、その貫通端部に遠心型のファン１４がナット３９により連結されている。このファン１４と電動機ケース１０との間には、前記張出しフランジ及びケース端面板３１の軸受支え部３２を除く部分を覆い隠す合成樹脂製のディフューザ１５が配置されている。板金製のファンカバー１６は、前記ストッパ部２４ｃに当るまで嵌合筒部２４ｂに嵌合して取付けられており、ファン１４及びディフューザ１５を覆い隠している。なお、１６ａはファンカバー１６の中央部に設けられた吸込み口を示しており、これを通して前記集塵室内の空気がファン１４に吸込まれる。
【００２９】
図３、図４（Ｂ）、及び図６（Ａ）に示すようにディフューザ１５は平面視円形であり、その外周径はベース縁部２４の環状平面部２４ａの外周径と等しい。このディフューザ１５の中央部は裏面側に凹まされており、そこには、センター孔４１と、この孔４１を間に置いて一対のねじ通孔４２が夫々開けられている。ディフューザ１５の周部には、複数の風入口４３と、これらに個別に向かい合う複数の導風壁４４とが交互に設けられている。図３及び図４（Ａ）（Ｃ）に示すように各導風壁４４は、風入口４３に近づくに従ってディフューザ１５の周部の表面１５ａからベース縁部２４に次第に近付くように傾斜されている。又、図６（Ｂ）に示すようにディフューザ１５の裏面には複数の円弧状等の整流羽根４５が突設されており、隣接する整流羽根４５間にはディフューザ通路４６が夫々形成されている。これらディフューザ通路４６の一端部は風入口４３となっている。
【００３０】
次に、ディフューザ１５の取付けについて説明する。図３及び図５等に示すように前記張出しフランジのベース縁部２４の環状平面部２４ａには、複数例えば４個のフック５１が周方向に等間隔毎に切起こされている。これらフック５１は、環状平面部２４ａに対して略直角に起立する基部と、この基部から折れ曲がった押さえ片とから形成され、側面視逆Ｌ字形状をなしている。前記押さえ片は、環状平面部２４ａと略平行であってもよいが、好ましくは図５に示すように先端側に行くほど環状平面部２４ａの表面から離れるように設けるとよい。なお、本発明においてフック５１は前記基部をなくして斜めに切起こしてもよい。更に、前記押さえ片の先端部、言い換えればフック５１の先端部には、図５で代表して示すようにベース縁部２４に向けて突出する例えば半球状の係合突起５１ａが形成されている。
【００３１】
一方、図６（Ａ）等に示すようにディフューザ１５の一つ置きの導風壁４４の夫々には、それらが向かい合っている風入口４３側の端部４４ａに位置して突起受け部５５とガイド溝５６とが夫々設けられている。端部４４ａの裏面は平坦面で形成されている。突起受け部５５は、図４（Ｃ）に示すように導風壁４４の端部４４ａを貫通する孔で形成されており、ガイド溝５６は前記端部４４ａの表面に突起受け部５５から風入口４３にわたるように延びて設けられている。
【００３２】
ディフューザ１５は以下の手順で電動機ケース１０にその一端開口を覆って取付けられる。まず、突起受け部５５に接近している４個の風入口４３の裏側に前記フック５１を位置させて、ディフューザ１５を電動機ケース１０のベース縁部２４に被せる。それにより、回転軸１２ａとともにケース端面板３１の軸受支え部３２が、ディフューザ１５のセンター孔４１に通される。
【００３３】
次に、ディフューザ１５を周方向に回動させる。この場合、各風入口４３に個別に向かい合っている各導風壁４４の端部４４ａが対応するフック５１の裏側に入り込むようにディフューザ１５を回動させる。この回動方向を図６（Ａ）中に矢印で示す。なお、ディフューザ１５の裏側にはケース端面板３１に嵌まる凹状逃げが設けられているが、この逃げはディフューザ１５の前記回動を許容するのに十分な大きさに形成されている。
【００３４】
前記回動に伴い、各フック５１が露出されるとともに、これらフック５１を弾性変形させながら導風壁４４の端部４４ａがフック５１とベース縁部２４との間に圧入気味に入り込むので、導風壁４４の端部４４ａがフック５１とベース縁部２４との間に挟み込まれる。この挟み込み状態で各フック５１は弾性変形された状態を維持しているとともに、図４（Ｃ）に示すようにフック５１を切起こした跡に形成された孔５２が端部４４ａによって閉じられて、前記孔５２を通して風の一部がベース縁部２４の裏側に排出されることが防止される。
【００３５】
以上のようにディフューザ１５を回動させるだけの簡単な作業で、４個のフック５１によりディフューザ１５の周部４箇所を同時にベース縁部２４に固定できる。こうしてディフューザ１５の周部が固定された状態は図４（Ａ）（Ｂ）（Ｃ）に示される。この場合、ディフューザ１５の回動操作が終了した時点では、図４（Ｃ）に示すように各フック５１の係合突起５１ａが、対応する導風壁４４の突起受け部５５に入り込んで係合する。そのため、各フック５１の導風壁４４への引っ掛り強度が高められて、ディフューザ１５のベース縁部２４への固定状態をより安定させることができる。
【００３６】
しかも、既述のようにディフューザ１５を回動させた時に各係合突起５１ａは、導風壁４４の端部４４ａの表面に設けたガイド溝５６に円滑に導かれて突起受け部５５に入り込むので、ディフューザ１５の回動操作が容易となるだけではなく、フック５１の係合突起５１ａを突起受け部５５に確実に引っ掛けることができる。
【００３７】
最後に、本実施形態の場合には、ディフューザ１５が有している一対のねじ通孔４２の夫々にねじ５７を通して、これらのねじ５７をケース端面板３１に設けられているねじ受け孔５８（図３参照）に螺合して締付けることにより、電動機ケース１０へのディフューザ１５の装着を完了する。なお、このようなディフューザ１５の中央部側でのねじ止めは、本発明では省略することもできるが、ファン１４の裏面中央部側へのディフューザ１５の中央部の変形及び送風効率の低下を抑制できる点で好ましい。つまり、ファン１４の裏面とディフューザ１５との間の狭い空間Ｓ（図２参照）の圧力は、ディフューザ１５の裏側の圧力よりも低いので、既述のようなねじ５７による止めがない場合には、ディフューザ１５の裏側の圧力でこのディフューザ１５の中央部がファン１４の裏面中央部に接近するように変形される。それに伴いディフューザ１５の裏側の空気が前記空間Ｓに漏れて、結果的に送風効率の低下をもたらす。又、以上のねじ止めはディフューザ１５の不用意な回り止めとなる点でも好ましい。
【００３８】
又、以上説明したディフューザ１５の取付け後に、ファン１４が回転軸１２ａの先端部に連結され、最後に、ファンカバー１６が電動機ケース１０の嵌合筒部２４ｂの外周面に嵌合されて、ファン部が組み立てられる。こうして組立てられた状態は図２に示されており、ファンカバー１６の内周面にディフューザ１５の外周は接触しているが、ファンカバー１６の外周肩部１６ｂとディフューザ１５の周部表面１５ａとは非接触であり、ディフューザ１５の周部は外周肩部１６ｂとベース縁部２４とで挟まれていない。
【００３９】
このようにファンカバー１６がディフューザ１５の周部を押えていないにも拘らず、ディフューザ１５の周部複数箇所は既述のようにフック５１によって電動機ケース１０のベース縁部２４に固定されているので、ファン１４から吐出された風が導風壁４４の表面に沿って風入口４３に導入されるに伴い、風入口４３に臨んでこの入口４３の一辺を仕切っているベース縁部２４で跳ね返された風の圧力によって、ディフューザ１５の周部がベース縁部２４から離れるように浮き上がって変形することを防止できる。それにより、送風性能の低下を抑制できる。
【００４０】
そして、以上の変形止めのために用いられる各フック５１は電動機ケース１０のベース縁部２４から切起こされている。ところで、電動機ケース１０の主部を占めている板金製ケース本体２１は、その材厚が厚く強度が大きく確保されているとともに、このケース本体２１のベース縁部２４の環状平面部２４ａは深絞りされることがなく強度が大である。そのため、このベース縁部２４から切起こされた各フック５１の強度も当然に大きい。したがって、これらフック５１とベース縁部２４との間にディフューザ１５の周部の複数箇所を強固に挟み込むことができる。
【００４１】
又、既述のように各フック５１は電動機ケース１０のベース縁部２４から一体に切起こされているので、ディフューザ１５の周部をベース縁部２４に固定するのに、ねじ等の固定部品を格別に要しない。そのため、電動送風機３の部品点数及び組立て工数を削減できる。更に、ディフューザ１５の周部をベース縁部２４に固定するための既述の操作は、いずれもベース縁部２４の表面側から行なえるとともに、各フック５１への引掛け作業も既述のようにディフューザ１５をベース縁部２４に被せて回動させるという簡単な作業で同時に実現できる。しかも、この際において、ディフューザ１５で隠された状態で複数の小孔に小さな突起を同時に位置合わせして通す面倒を伴うこともなく、ディフューザ１５をベース縁部２４に被せることができる。従って、部品点数の削減によるコストダウン、及び作業性向上によるコストダウンが可能であるから、電動送風機３のコストを低減でき、ひいては電気掃除機１のコストを低減することができる。
【００４２】
図７は本発明の第２実施形態を示している。この実施形態は基本的には第１実施形態と同様な構成であるので、同じ構成については第１実施形態と同じ符号を付して、その構成および作用の説明を省略し、以下異なる構成について説明する。第２実施形態が第１実施形態と異なる部分は、フックの位置である。
【００４３】
すなわち、第２実施形態では、張出しフランジの一部をなすケース端面板３１の１８０°離れた両縁部３１ａは、ケース本体２１におけるベース縁部２４の環状平面部２４ａと嵌合筒部２４ｂとがなす角にまで達する長さを有し、これらの縁部３１ａの夫々にフック５１が切起こされている。なお、以上説明した点以外の構成は図７に示されない構成を含めて第１実施形態の電動送風機及び電気掃除機と同じである。又、この第２実施形態において張出しフランジの他の部分をなすケース本体２１のベース縁部２４に他のフック５１を設けることは妨げない。
【００４４】
この第２実施形態においても、ディフューザ１５の周部複数箇所を、電動機ケース１０の張出しフランジに、このフランジの一部をなすケース端面板３１の両縁部３１ａから切起こしたフック５１を用いて固定したので、本発明の課題を解決できる。
【００４５】
しかも、図７に示すようにケース端面板３１のみにフック５１を設けて実施する場合には、ケース端面板３１をプレス成形により得る際に同時にフック５１を切起こして設けることができる。従って、ケース本体２１のベース縁部２４にフック５１を設ける場合のように、ケース本体２１をプレス成形するための工程と、それにフック５１を設ける工程とを分ける必要がなく、コストを低減できる点で優れている。
【００４６】
図８は本発明の第３実施形態を示している。この実施形態は基本的には第１実施形態と同様な構成であるので、同じ構成については第１実施形態と同じ符号を付して、その構成および作用の説明を省略し、以下異なる構成について説明する。第３実施形態が第１実施形態と異なる部分は、ケース端面板の構成及びフックの位置である。
【００４７】
すなわち、第３実施形態では、板金製のケース端面板１３１は、ケース本体２１の環状平面部２４ａと同形の外周径を有する円形の縁部１３１ａを有し、この内側に十字状のブリッジを設けて、その交差部分、言い換えればケース端面板１３１の中央部に軸受支え部３２を設けて形成されている。このケース端面板１３１は環状平面部２４ａに重ねてねじ止めされる。そして、電動機ケースの張出しフランジの一部をなす前記縁部１３１ａには、複数例えば４個のフック５１が周方向に等間隔毎に切起こされている。なお、以上説明した点以外の構成は図８に示されない構成を含めて第１実施形態の電動送風機及び電気掃除機と同じである。
【００４８】
この第３実施形態においても、ディフューザ１５の周部複数箇所を、電動機ケース１０の張出しフランジに、このフランジの一部をなすケース端面板１３１の環状の縁部１３１ａから切起こしたフック５１を用いて固定したので、本発明の課題を解決できる。
【００４９】
しかも、各フック５１がケース端面板１３１のみに設けられるので、これらのフック５１を、ケース端面板１３１をプレス成形により得る際に同時に切起こして設けることができる。従って、ケース本体２１のベース縁部２４にフック５１を設ける場合のように、ケース本体２１をプレス成形するための工程と、それにフック５１を設ける工程とを分ける必要がなく、コストを低減できる点で優れている。
【００５０】
【発明の効果】
本発明は、以上説明したような形態で実施され、以下に記載されるような効果を奏する。
【００５１】
請求項１に係る発明の電動送風機によれば、ファンから吐出されて風入口に導入された風の圧力でディフューザ周部が張出しフランジから浮き上がるように変形することを防止する各フックを張出しフランジから切起こして設けたから、ねじ等の格別に固定部品を要することがなく構成を簡単にできることとあいまって、ディフューザ周部を張出しフランジに固定するための全ての作業を張出しフランジの表面側から行なえるので、作業性がよく、したがって、コストを低減できる。
【００５２】
請求項２に係る発明の電動送風機によれば、導風壁に設けた突起受け部にフックの係合突起を係合させるので、フックの導風壁への引っ掛り強度が高く、ディフューザ周部の張出しフランジへの固定状態をより安定させることができる。
【００５３】
請求項３に係る発明の電動送風機によれば、ディフューザを回動させて張出しフランジに固定する際に、フックの係合突起をガイド溝で円滑に導いて突起受け部に係合させるので、張出しフランジにディフューザ周部を固定する作業性をより向上できる。
【００５４】
請求項４に係る発明の電動送風機によれば、強度が大きい板金製ベース縁部からフックを切起こしたので、強度が大きい各フックと張出しフランジとの間にディフューザ周部の複数箇所を強固に挟み込んで、ディフューザ周部を張出しフランジに固定できる。
【００５５】
請求項５に係る発明によれば、電動機部の張出しフランジにディフューザ周部を簡単な構成で安価に固定できる請求項１〜４の内のいずれか一項に記載の電動送風機を備えるから、安価な電気掃除機を提供できる。
【図面の簡単な説明】
【図１】本発明の第１実施形態に係るキャニスタ型電気掃除機全体を示す斜視図。
【図２】図１の電気掃除機が備える電動送風機を一部断面して示す側面図。
【図３】図２に示された電動送風機の一部を分解して示す斜視図。
【図４】（Ａ）は図２に示された電動送風機の電動機ケースをディフューザが取付けられた状態で示す側面図。（Ｂ）は図２に示された電動送風機の電動機ケースをディフューザが取付けられた状態で示す正面図。（Ｃ）は図４（Ｂ）中Ｚ−Ｚ線に沿って示す断面図。
【図５】図２に示された電動送風機の電動機ケースを示す側面図。
【図６】（Ａ）は図２に示された電動送風機のディフューザを示す正面図。（Ｂ）は図６（Ａ）中Ｙ−Ｙ線に沿って示す断面図。
【図７】本発明の第２実施形態に係る電動送風機の一部を分解して示す斜視図。
【図８】本発明の第３実施形態に係る電動送風機の一部を分解して示す斜視図。
【符号の説明】
１…電気掃除機
２…掃除機本体
３…電動送風機
４…集塵袋（フィルタ）
１０…電動機ケース（電動機部）
１１…固定子（電動機部）
１２…回転子（電動機部）
１２ａ…回転軸
１３…ブラシ装置（電動機部）
１４…ファン
１５…ディフューザ
１５ａ…ディフューザの周部表面
１６…ファンカバー
２１…ケース本体
２４…ベース縁部（張出しフランジ）
３１、１３１…ケース端面板
３１ａ、１３１ａ…ケース端面板の縁部（張出しフランジ）
４３…風入口
４４…導風壁
４４ａ…導風壁の端部
５１…フック
５１ａ…係合突起
５５…突起受け部
５６…ガイド溝
【図１】
0004559619.tif 000002
【図２】
0004559619.tif 000003
【図３】
0004559619.tif 000004
【図４】
0004559619.tif 000005
【図５】
0004559619.tif 000006
【図６】
0004559619.tif 000007
【図７】
0004559619.tif 000008
【図８】
0004559619.tif 000009